(57)【要約】【目的】  ＦＤを挿入する際の扉のたわみを抑制して扉の外れを防止する。【構成】  突出片５ｃを裏側に設けると共に両端を回動軸部５ａにより回動可能に支持されて開口部４を開閉する扉５、を有する媒体挿入口機構７と、この媒体挿入口機構７を端部に取り付けられると共に底面部３１ｂに磁気ヘッド機構を配置されたフレーム３１と、突出片５ｃとフレーム３１の底面部３１ｂとの間に配置されたたわみ防止部２ｂとを備え、たわみ防止部２ｂは底面部３１ｂ側に立ち下げた立ち下げ部２ｂ１とこの立ち下げ部の下端から扉側に延出した平面部２ｂ２とを有し、扉５は、記録媒体の挿入方向へのたわみが平面部２ｂ２の先端に扉５の当接部５ｂが当接することにより防止され、底面部３１ｂ側へのたわみが平面部２ｂ２と突出片５ｃとが係合することにより防止されるものである。【選択図】        図３
2004247048.tif 000002
【特許請求の範囲】
【請求項１】
ディスク状の記録媒体を挿入する開口部、係合部を裏側に設けると共に両端を回動軸により回動可能に支持されて前記開口部を開閉する扉、を有する媒体挿入口機構と、
この媒体挿入口機構を端部に取り付けられると共に底面部に磁気ヘッド機構を配置されたフレームと、
先端が前記扉の裏側に向けて突出して対向すると共に前記係合部と前記フレームの底面部との間に配置されたたわみ防止部とを備え、
前記たわみ防止部は前記フレームの底面部側に立ち下げた立ち下げ部とこの立ち下げ部の下端から前記扉側に延出した平面部とを有し、
前記扉は、前記記録媒体の挿入方向へのたわみが前記平面部の先端に前記扉の裏側が当接することにより防止され、前記フレームの底面部側へのたわみが前記平面部と前記係合部とが係合することにより防止されることを特徴とする磁気ディスク装置。
【請求項２】
前記たわみ防止部の前記平面部は、前記フレームの底面部に対して平行に形成されていることを特徴とする請求項１記載の磁気ディスク装置。
【請求項３】
ディスク状の記録媒体を挿入する開口部、係合部を裏側に設けると共に両端を回動軸により回動可能に支持されて前記開口部を開閉する扉、を有する媒体挿入口機構と、
この媒体挿入口機構を端部に取り付けられると共に底面部に磁気ヘッド機構を配置されたフレームと、
先端が前記扉の裏側に向けて突出して対向すると共に前記係合部と前記フレームの底面部との間に配置されたたわみ防止部とを備え、
前記係合部は前記回動軸にほぼ一致する棒状部材であることを特徴とする磁気ディスク装置。
【請求項４】
前記たわみ防止部は前記フレームの底面部側に立ち下げた立ち下げ部とこの立ち下げ部の下端から前記フレームの底面部に平行な平面部とを有し、
前記扉は、前記記録媒体の挿入方向へのたわみが前記平面部の先端に前記扉の裏側が当接することにより防止され、前記フレームの底面部側へのたわみが前記平面部と前記係合部とが係合することにより防止されることを特徴とする請求項３記載の磁気ディスク装置。
【請求項５】
前記回動軸の回転中心は前記扉の裏側よりも前記たわみ防止部側にずれて位置されていることを特徴とする請求項３記載の磁気ディスク装置。
【請求項６】
前記回動軸は、前記扉の裏側と前記たわみ防止部との間に位置していることを特徴とする請求項３記載の磁気ディスク装置。
【請求項７】
前記係合部は前記回動軸と同一部材であることを特徴とする請求項３記載の磁気ディスク装置。
【請求項８】
前記係合部は前記扉の幅方向のほぼ中央部の裏面に設けられ、前記たわみ防止部は前記係合部に対向配置されていることを特徴とする請求項３乃至請求項５のいずれかに記載の磁気ディスク装置。
【請求項９】
前記係合部は前記たわみ防止部との間に所定の間隔を有すると共に前記扉の幅をほぼ等分するように複数設けられ、前記たわみ防止部は前記複数の係合部に対応して複数設けられていることを特徴とする請求項３乃至請求項５のいずれかに記載の磁気ディスク装置。
【発明の詳細な説明】
【技術分野】
【０００１】
この発明は、記録媒体を挿入及び排出するパネルの開口部を開閉する扉の外れを防止する開閉機構を備えた磁気ディスク装置に関するものである。
【背景技術】
【０００２】
図７は、従来の磁気ディスク装置を示す説明図である。図において、２０はフロッピー(Ｒ)ディスク（以下、ＦＤと称する。）であり、ディスク状の記録媒体２１をカートリッジ２２内に収納されている。３０は、磁気ディスク装置であり、記録媒体２１に情報を記録又は記録された情報を再生する。３１は、磁気ディスク装置３０のフレーム、３１ａは、フレーム３１の両側の壁面に設けられた支持部であり、回動軸部３５ａを軸支する。３１ｂは、フレーム３１の底面部であり、記録媒体２１を回転する媒体駆動モータ（不図示）、記録媒体２１に情報を記録又は記録された情報を再生する磁気ヘッド機構部（不図示）を配置される。３２は、磁気ディスク装置３０のシールドカバー、３２ａは、シールドカバー３２に設けられた爪部であり、係止部３１ｃに係合してシールドカバー３２をフレーム３１に固定する。
【０００３】
３３は、前面パネルであり、ＦＤ２０を挿入及び排出するための矩形状の開口部３４を設けられている。３５は、扉であり、その両側に設けられた回動軸部３５ａを回動軸として回動することにより開口部３４を開閉する。なお、扉３５はコイルばね（不図示）により、ＦＤ２０が磁気ディスク装置３０に挿入されていない状態では、開口部３４を閉じるように付勢されている。３６は媒体挿入口機構であり、上述の符号３３〜３５を付した構成を含む。
【０００４】
例えば、利用者などがＦＤ２０を方向Ａに移動すると、カートリッジ２２が扉３５に当接して扉３５を装置の内側に回動させ、前面パネル３３の開口部３４から磁気ディスク装置３０内にＦＤ２０が挿入される。
【０００５】
ＦＤ２０は、ローディング機構部（不図示）により、磁気ディスク装置３０内の所定の位置に配置される。また、記録媒体２１は、媒体駆動モータ（不図示）により回転される。磁気ディスク装置３０は、所定の位置に配置したＦＤ２０の記録媒体２１に対して、磁気ヘッド機構部（不図示）のヘッド位置決め機構（不図示）により磁気ヘッド（不図示）を記録媒体２１の所定の位置に配置し、磁気ヘッドにより、情報の記録又は再生動作などを行う。シールドカバー３２は、フレーム３１に搭載されたローディング機構、媒体駆動モータ、ヘッド位置決め機構、磁気ヘッドなどを外部からの電気的ノイズから保護する。
【０００６】
【特許文献１】特開平６−５２０９０号公報
【発明の開示】
【発明が解決しようとする課題】
【０００７】
近年、磁気ディスク装置３０の小型化、軽量化が要望され、そのために、特に記録再生特性とあまり関係しない媒体挿入口機構３６の簡易化、軽量化が図られている。媒体挿入口機構３６の小型化、軽量化によりその強度が低下し、図８に示すように、ＦＤ２０を挿入する際に、ＦＤ２０が扉３５の部分Ｂに当接して方向Ａに押されると、扉３５が回動せずにたわんでしまい、回動軸部３５ａが支持部３１ａから外れてしまうという問題点がある。
【０００８】
これを改善するために、特開平６−５２０９０号公報などに開示されたものがある。これは、図９に示すように、シールドカバー３２の前面を下方に９０度曲げて形成したたわみ防止部３２ｂを扉３５の上部に対向させて配置し、扉３５の方向Ａへのたわみを防止するものである。しかしながら、そのように、たわみ防止部３２ｂを設けても、ＦＤ２０が方向Ｃ（即ち、フレーム３１の底面部３１ｂ側）に押されると、必ずしも扉３５がたわみ防止部３２ｂに当接せず、扉３５が外れてしまうという問題点がある。
【０００９】
なお、ＦＤ２０が部分Ｂに当接し、方向Ｃに押されるという状態は、通常利用者の目線よりも低い位置に配置される場合が多い磁気ディスク装置３０においては顕著に発生し易いという特有の課題である。
【００１０】
この発明は、以上のような問題点を解消するためになされたもので、ＦＤを挿入する際の扉のたわみを抑制して外れを防止できる媒体挿入口機構を有する磁気ディスク装置を得ることを目的とする。
【課題を解決するための手段】
【００１１】
この発明の磁気ディスク装置は、ディスク状の記録媒体を挿入する開口部、係合部を裏側に設けると共に両端を回動軸により回動可能に支持されて開口部を開閉する扉、を有する媒体挿入口機構と、この媒体挿入口機構を端部に取り付けられると共に底面部に磁気ヘッド機構を配置されたフレームと、先端が扉の裏側に向けて突出して対向すると共に係合部とフレームの底面部との間に配置されたたわみ防止部とを備え、たわみ防止部はフレームの底面部側に立ち下げた立ち下げ部とこの立ち下げ部の下端から扉側に延出した平面部とを有し、扉は、記録媒体の挿入方向へのたわみが平面部の先端に扉の裏側が当接することにより防止され、フレームの底面部側へのたわみが平面部と係合部とが係合することにより防止されるものである。
また、たわみ防止部の平面部は、フレームの底面部に対して平行に形成されているものである。
【００１２】
この発明の磁気ディスク装置は、ディスク状の記録媒体を挿入する開口部、裏側に設けられた棒状の回動軸により回動可能に支持されて開口部を開閉する扉、を有する媒体挿入口機構と、媒体挿入口機構を端部に取り付けられると共に底面部に磁気ヘッド機構を配置されたフレームと、先端が扉の裏側に向けて突出して対向すると共に係合部とフレームの底面部との間に配置されたたわみ防止部とを備え、係合部は回動軸にほぼ一致する棒状部材であるものである。
【００１３】
また、たわみ防止部はフレームの底面部側に立ち下げた立ち下げ部とこの立ち下げ部の下端からフレームの底面部に平行な平面部とを有し、扉は、記録媒体の挿入方向へのたわみが平面部の先端に扉の裏側が当接することにより防止され、フレームの底面部側へのたわみが平面部と係合部とが係合することにより防止されるものである。
【００１４】
また、回動軸の回転中心は扉の裏側よりもたわみ防止部側にずれて位置されているものである。
また、回動軸は、扉の裏側とたわみ防止部との間に位置しているものである。
また、係合部は回動軸と同一部材であるものである。
また、係合部は扉の幅方向のほぼ中央部の裏面に設けられ、たわみ防止部は係合部に対向配置されているものである。
また、係合部はたわみ防止部との間に所定の間隔を有すると共に扉の幅をほぼ等分するように複数設けられ、たわみ防止部は複数の係合部に対応して複数設けられているものである。
【発明の効果】
【００１５】
この発明の磁気ディスク装置は、ディスク状の記録媒体を挿入する開口部、係合部を裏側に設けると共に両端を回動軸により回動可能に支持されて開口部を開閉する扉、を有する媒体挿入口機構と、媒体挿入口機構を端部に取り付けられると共に底面部に磁気ヘッド機構を配置されたフレームと、先端が扉の裏側に向けて突出して対向すると共に係合部とフレームの底面部との間に配置されたたわみ防止部とを備え、たわみ防止部はフレームの底面部側に立ち下げた立ち下げ部とこの立ち下げ部の下端から扉側に延出した平面部とを有し、扉は、記録媒体の挿入方向へのたわみが平面部の先端に扉の裏側が当接することにより防止され、フレームの底面部側へのたわみが平面部と係合部とが係合することにより防止されるものであり、また、たわみ防止部の平面部は、フレームの底面部に対して平行に形成されているものなので、フレームの底面部側への扉のたわみ量を抑制でき、扉が外れるのを防止できる。
【００１６】
この発明の磁気ディスク装置は、ディスク状の記録媒体を挿入する開口部、裏側に設けられた棒状の回動軸により回動可能に支持されて開口部を開閉する扉、を有する媒体挿入口機構と、媒体挿入口機構を端部に取り付けられると共に底面部に磁気ヘッド機構を配置されたフレームと、先端が扉の裏側に向けて突出して対向すると共に係合部とフレームの底面部との間に配置されたたわみ防止部とを備え、係合部は回動軸にほぼ一致する棒状部材であるものなので、扉のたわみを抑制して扉が外れるのを防止することができる。
【００１７】
また、たわみ防止部はフレームの底面部側に立ち下げた立ち下げ部とこの立ち下げ部の下端からフレームの底面部に平行な平面部とを有し、扉は、記録媒体の挿入方向へのたわみが平面部の先端に扉の裏側が当接することにより防止され、フレームの底面部側へのたわみが平面部と係合部とが係合することにより防止されるものなので、フレームの底面部側への扉のたわみ量を抑制でき、扉が外れるのを防止できる。
【００１８】
また、回動軸の回転中心は扉の裏側よりもたわみ防止部側にずれて位置されているものなので、扉のたわみを抑制して扉が外れるのを防止することができる。
また、回動軸は、扉の裏側とたわみ防止部との間に位置しているものなので、扉のたわみを抑制して扉が外れるのを防止することができる。
また、係合部は回動軸と同一部材であるものなので、扉のたわみを抑制して扉が外れるのを防止することができる。
また、係合部は扉の幅方向のほぼ中央部の裏面に設けられ、たわみ防止部は係合部に対向配置されているものなので、扉のたわみが最も大きくなり易い部分に設けられていることになるので、確実に扉のたわみを抑制し扉が外れるのを防止することができる。
また、係合部はたわみ防止部との間に所定の間隔を有すると共に扉の幅をほぼ等分するように複数設けられ、たわみ防止部は複数の係合部に対応して複数設けられているものなので、ＦＤが扉の左右いずれかに片当たりした場合でも、扉がたわむのを抑制して扉が外れるのを防止できる。
【発明を実施するための最良の形態】
【００１９】
実施の形態１．
この発明の磁気ディスク装置の一実施の形態について説明する。図１は、実施の形態１による磁気ディスク装置を示す外観図、図２は、媒体挿入口機構を示す分解斜視図、図３は、装置の幅方向のほぼ中心における断面図である。図１乃至図３において、図７乃至図９と同一符号は同一又は相当部分を示し説明を省略する。図１において、１は、磁気ディスク装置であり、記録媒体２１に情報を記録又は記録された情報を再生する。２は、磁気ディスク装置１のシールドカバー、２ａは、シールドカバー２に設けられた爪部であり、係止部３１ｃに係合してシールドカバー２をフレーム３１に固定する。３は、磁気ディスク装置１の前面に設けられた樹脂製の前面パネル、４は、前面パネル３に設けられた開口部、５は、開口部４を開閉する樹脂製の扉である。５ａは、扉５の両側にそれぞれ設けられた樹脂製の回動軸部であり、支持部３１ａに軸支されている。扉５は、ＦＤ２０にその表面を当接されて挿入方向Ａに押圧され、回動軸部５ａにより形成される回動軸を中心に回動する。
【００２０】
図２において、２ｂは、シールドカバー２に設けられたたわみ防止部、２ｃは、シールドカバー２の外表面、５ｂは、扉５の裏面側に設けられた当接部であり、扉５が方向Ａにたわんだ際にたわみ防止部２ｂに当接する。５ｃは、扉５に設けられた係合部である突出片であり、扉５がフレーム３１の底面部３１ｂ側にたわんだ際にたわみ防止部２ｂに係合する。なお、図２に示すように、当接部５ｂとたわみ防止部２ｂは扉５の幅方向のほぼ中央部に位置している。
【００２１】
なお、図３に示すように、たわみ防止部２ｂは、断面略Ｌ字状に形成され、外表面２ｃから底面部３１ｂ側に立ち下げた立ち下げ部２ｂ１と、この立ち下げ部２ｂ１の下端から外表面２ｃに平行な平面部２ｂ２を有している。また、平面部２ｂ２の先端と扉５の当接部５ｂとの間には、挿入方向Ａに沿った第１の所定の間隔Ｄを形成されている。
【００２２】
また、突出片５ｃは、底面部３１ｂとの間にたわみ突出片５ｃとの間にたわみ防止部２ｂを挟むように、扉５から第１の所定の間隔Ｄよりもシールドカバー２側に突出して形成され、平面部２ｂ２との間にたわみ防止部２ｂの立ち下げ方向にほぼ沿った第２の所定の間隔Ｅを形成されている。また、当接部５ｂと平面部２ｂ２は扉５の回動軸の近傍に位置している。
【００２３】
また、図２において、６は、コイルばねであり、開口部４を閉じるように扉５を付勢している。７は、磁気ディスク装置１に設けられた媒体挿入口機構であり、上述の符号２〜６を付した構成を含む。
【００２４】
次に、動作を図により説明する。例えば、利用者などがＦＤ２０（図１に示す）を方向Ａに移動すると、カートリッジ２２が扉５の表面に当接して扉５を磁気ディスク装置１（図１に示す）の内側に回動させ、前面パネル３の開口部４から磁気ディスク装置１内にＦＤ２０が挿入される。
【００２５】
磁気ディスク装置１は、挿入されたＦＤ２０をローディング機構部（不図示）により磁気ディスク装置１内の所定の位置に配置する。また、記録媒体２１は、媒体駆動モータ（不図示）により回転される。磁気ディスク装置１は、磁気ヘッド機構部（不図示）のヘッド位置決め機構（不図示）により磁気ヘッド（不図示）を記録媒体２１の所定の記録トラックに配置し、情報の記録又は再生動作などを行う。
【００２６】
次に、扉５とたわみ防止部２ｂの作用を図３により説明する。例えば、ＦＤ２０が部分Ｂに当接し、扉５を方向Ａに押圧すると、扉５は回動せずに方向Ａ側にたわむ。扉５が第１の所定の間隔Ｄほどたわむと、当接部５ｂがたわみ防止部２ｂの平面部２ｂ２の先端に当接するので、たわみ防止部２ｂにより、それ以上扉５がたわむのを抑制される。したがって、扉５は、第１の所定の間隔Ｄ以上たわむことがなく、回動軸部５ａが支持部３１ａから外れることはない。
【００２７】
また、例えば、ＦＤ２０が部分Ｂに当接し、扉５を方向Ｃ（即ち、フレーム３１の底面部３１ｂ側）に押圧すると、扉５は回動せずに方向Ｃにたわむ。扉５が第２の所定の間隔Ｅほどたわむと、突出片５ｃがたわみ防止部２ｂの平面部２ｂ２に係合するので、たわみ防止部２ｂにより、それ以上扉５がたわむのを抑制される。したがって、扉５は、ほぼ第２の所定の間隔Ｅ以上たわむことがなく、回動軸部５ａが支持部３１ａから外れることはない。このように、底面部３１ｂとの間にたわみ防止部２ｂを挟むように、扉５から第１の所定の間隔Ｄよりもシールドカバー２側に突出させたという簡単な形状の突出片５ｃにより方向Ｃへの扉５のたわみを抑制して扉５が外れるのを防止できる。
【００２８】
なお、当接部５ｂ、突出片５ｃ及びたわみ防止部２ｂは、扉５の幅方向のほぼ中央部に位置するので、扉５のたわみが最も大きくなり易い部分に設けられていることになるので、確実に扉５のたわみを抑制し扉５が外れるのを防止することができる。
【００２９】
なお、当接部５ｂ、突出片５ｃ及びたわみ防止部２ｂを複数設けてもよい。図４は、媒体挿入口機構の他の態様を示す分解斜視図である。図４に示すものにあっては、たわみ防止部２ｂ、当接部５ｂ及び突出片５ｃを、扉５の幅をほぼ３等分するように２個づつ設けている。たわみ防止部２ｂ、当接部５ｂ及び突出片５ｃをこのように設けることにより、ＦＤ２０が扉５の左右いずれかに片当たりした場合でも、図２に示すものと同様に扉５がたわむのを抑制して扉５が外れるのを防止できる。
【００３０】
この実施の形態１による磁気ディスク装置１によれば、シールドカバー２は、扉５の裏面側にＦＤ２０の挿入方向Ａに沿って第１の所定の間隔Ｄをあけてたわみ防止部２ｂを設けられ、扉５は、挿入方向Ａにたわんだ際にたわみ防止部に当接する当接部５ｂと、方向Ｃにたわんだ際にたわみ防止部２ｂに係合する突出片５ｃを設けられているので、ＦＤ２０が扉５を方向Ａ又は方向Ｃに押圧したとしても、たわみ防止部２ｂと当接部５ｂとの当接、又はたわみ防止部２ｂと突出片５ｃとの係合により扉５のたわみを抑制でき、扉５の回動軸部５ａが支持部３１ａから外れるのを防止できる。
【００３１】
また、たわみ防止部２ｂ、当接部５ｂ及び突出片５ｃは、扉５の幅方向の中央部、即ち、扉５が方向Ａや方向Ｃに押圧された際に、たわみの最も大きい部分に設けられているので、扉５の最大たわみ量を第１の所定の間隔Ｄ、第２の所定の間隔Ｅ以下とすることができ、扉５が外れるのを防止することができる。
【００３２】
また、たわみ防止部２ｂ、当接部５ｂ及び突出片５ｃを複数設けた場合は、例えば、ＦＤ２０が扉５の左右いずれかに片当たりしたとても、複数の当接部５ｂ、突出片５ｃの何れかが確実にたわみ防止部２ｂに当接又は係合するので、扉５のたわみを抑制して扉５が外れるのを防止することができる。
【００３３】
実施の形態２．
この発明の磁気ディスク装置の他の実施の形態を説明する。図５は、実施の形態２による媒体挿入口機構の態様を示す分解斜視図、図６は図５に示す媒体挿入口機構の幅方向の中心における断面図である。図において、図２又は図３と同一符号は同一又は相当部分を示し説明を省略する。図５において、２ｄは、シールドカバー２に設けられたたわみ防止部、５ｄは、扉５に設けられた係合部である丸棒状部材であり、その軸方向を回動軸部５ａにより形成される回動軸にほぼ一致するように形成されている。
【００３４】
なお、図６に示すように、たわみ防止部２ｄは、断面略Ｌ字状に形成され、外表面２ｃから扉５の回動軸よりも底面部３１ｂ側に立ち下げた立ち下げ部２ｄ１と、この立ち下げ部２ｄ１の下端から外表面２ｃに平行な平面部２ｄ２を有している。また、丸棒状部材５ｄは、底面部３１ｂとの間に平面部２ｄ２を挟むように扉５に設けられている。
また、Ｄ１、Ｄ２は、第１の所定の間隔であり、それぞれ扉５の当接部５ｂと平面部２ｄ２の先端との挿入方向Ａに沿った間隔、丸棒状部材５ｄと立ち下げ部２ｄ１との挿入方向Ａに沿った間隔であり、Ｄ１＝Ｄ２＝Ｄ（図３に示す）である。Ｅ１は、第２の所定の間隔であり、丸棒状部材５ｄと平面部２ｄ２との間隔を示し、Ｅ１＝Ｅ（図３に示す）である。
【００３５】
扉５とたわみ防止部２ｄとを図５に示すように形成することにより、図２に示す扉５とたわみ防止部２ｂと同様に、扉５の挿入方向Ａ、方向Ｃへのたわみを抑制して扉５が外れるのを防止することができる。
【００３６】
さらに、扉５のたわみ時にたわみ防止部２ｄに係合する係合部が丸棒状部材５ｄであるので、立ち下げ部２ｄ１、平面部２ｄ２を丸棒状部材５ｄと摺接するように配置させることができる。この場合、第１の所定の間隔Ｄ２及び第２の所定の間隔Ｅ１をなくすことができ、扉５のたわみをほぼなくすことができる。
【図面の簡単な説明】
【００３７】
【図１】この発明の実施の形態１による磁気ディスク装置を示す外観図である。
【図２】図１に示す媒体挿入口機構の分解斜視図である。
【図３】図２に示す媒体挿入口機構の断面図である。
【図４】他の態様の媒体挿入口機構の分解斜視図である。
【図５】この発明の実施の形態２による媒体挿入口機構の態様を示す説明図である。
【図６】図５に示す媒体挿入口機構の断面図である。
【図７】従来の磁気ディスク装置の媒体挿入口機構の動作説明図である。
【図８】従来の媒体挿入口機構の断面図である。
【図９】従来の他の媒体挿入口機構の断面図である。
【符号の説明】
【００３８】
１  磁気ディスク装置、  ２  シールドカバー、  ２ａ  爪部、  ２ｂ  たわみ防止部、  ２ｂ１  立ち下げ部、  ２ｂ２  平面部、  ２ｃ  外表面、  ２ｄ  たわみ防止部、  ２ｄ１  立ち下げ部、  ２ｄ２  平面部、  ３  前面パネル、  ４  開口部、  ５  扉、  ５ａ  回動軸、  ５ｂ  当接部、  ５ｃ  突出片、  ５ｄ  丸棒状部材、  ６  コイルばね、  ７  媒体挿入口機構、  ３１  フレーム。
【図１】
2004247048.tif 000003
【図２】
2004247048.tif 000004
【図３】
2004247048.tif 000005
【図４】
2004247048.tif 000006
【図５】
2004247048.tif 000007
【図６】
2004247048.tif 000008
【図７】
2004247048.tif 000009
【図８】
2004247048.tif 000010
【図９】
2004247048.tif 000011